(57)【要約】【課題】フルカラーに対応した、小型で高速、高精度の積層造形装置を提供する。【解決手段】積層造形方法は、樹脂粒子１を帯電させる帯電工程と、帯電した樹脂粒子１を電界加速して吐出し、吐出された樹脂粒子１により転写媒体２０の表面に粒子パターン２を形成する粒子パターン形成工程と、粒子パターン２を構成する樹脂粒子１を溶融し溶融パターン３を形成する工程と、溶融パターン３を転写媒体２０から転写して積層する工程とを含む。【選択図】図１
2015066713.tif 000002
【特許請求の範囲】
【請求項１】
樹脂粒子を帯電させる帯電工程と、
帯電した前記樹脂粒子を電界加速して吐出し、吐出された前記樹脂粒子により転写媒体の表面に粒子パターンを形成する粒子パターン形成工程と、
前記粒子パターンを構成する前記樹脂粒子を溶融し溶融パターンを形成する工程と、
前記溶融パターンを前記転写媒体から転写して積層する工程と、を含むことを特徴とする積層造形方法。
【請求項２】
前記帯電工程で帯電した前記樹脂粒子を第１電極の表面に並べ、所定の厚さに帯電樹脂粒子層を形成する工程と、
前記第１電極を移動して、帯電した前記樹脂粒子が吐出される吐出口に前記帯電樹脂粒子層を供給する工程と、を含み、
前記転写媒体は、第２電極を構成し、
前記粒子パターン形成工程は、前記吐出口に移動した前記第１電極と、前記吐出口に移動した前記第１電極と前記第２電極との間に位置する前記吐出口に備えられた第３電極とで形成する電界により、前記帯電樹脂粒子層に含まれる前記樹脂粒子を電界加速して前記吐出口から吐出し、前記第３電極と前記第２電極とで形成する電界により、吐出された前記樹脂粒子を前記第２電極に到達させることにより前記転写媒体の表面に粒子パターンを形成することを特徴とする請求項１に記載の積層造形方法。
【請求項３】
前記第３電極に印加する電圧を制御することにより、前記帯電樹脂粒子層に含まれる前記樹脂粒子を選択的に吐出して前記第２電極に到達させることを特徴とする請求項２に記載の積層造形方法。
【請求項４】
所定の厚さに形成された前記帯電樹脂粒子層に含まれる前記樹脂粒子を選択的に吐出して前記第２電極に到達させることにより、前記転写媒体の表面に形成される前記溶融パターンの層厚を所定の厚みに制御することを特徴とする請求項３に記載の積層造形方法。
【請求項５】
前記帯電工程は、摩擦帯電により前記樹脂粒子を帯電させることを特徴とする請求項１ないし請求項４のいずれか一項に記載の積層造形方法。
【請求項６】
前記粒子パターン形成工程は、複数の前記吐出口を用いて行うことを特徴とする請求項２ないし請求項５のいずれか一項に記載の積層造形方法。
【請求項７】
前記樹脂粒子は、色材を有していることを特徴とする請求項１ないし請求項６のいずれか一項に記載の積層造形方法。
【請求項８】
前記色材としてシアン、マゼンタ、イエロー、白を個別に有する前記樹脂粒子および透明な前記樹脂粒子を含む複数の色種類の前記樹脂粒子を用い、
前記帯電工程および前記粒子パターン形成工程は、それぞれの色種類の前記樹脂粒子において独立して行うことを特徴とする請求項７に記載の積層造形方法。
【請求項９】
前記樹脂粒子には、白色または透明な疎水性粒子が外添されていることを特徴とする請求項１ないし請求項８のいずれか一項に記載の積層造形方法。
【請求項１０】
帯電した樹脂粒子を電界加速して選択的に吐出する吐出ヘッドと、
吐出された前記樹脂粒子を捕捉することで、その表面に前記樹脂粒子による粒子パターンが形成される転写媒体と、
前記粒子パターンを構成する前記樹脂粒子を溶融し、前記転写媒体の表面に溶融パターンを形成する溶融部と、
前記溶融パターンが転写される造形部と、を備えることを特徴とする積層造形装置。
【請求項１１】
前記吐出ヘッドは、第１電極と、吐出口と、樹脂粒子を帯電させる帯電機構と、帯電した前記樹脂粒子を前記第１電極の表面に並べ、所定の厚さに帯電樹脂粒子層を形成する帯電樹脂粒子層形成機構と、前記第１電極を移動して前記帯電樹脂粒子層を前記吐出口に搬送する搬送機構と、前記吐出口に備えられた第３電極と、を備え、
前記転写媒体は、前記吐出口に対向し相対移動可能に設けられ、第２電極を構成し、
前記吐出口に移動した前記第１電極と、前記吐出口に移動した前記第１電極と前記第２電極との間に位置する前記第３電極とで形成する電界により、前記帯電樹脂粒子層に含まれる前記樹脂粒子を電界加速して前記吐出口から吐出し、前記第３電極と前記第２電極とで形成する電界により、吐出された前記樹脂粒子を前記第２電極に到達させることにより前記転写媒体の表面に前記粒子パターンを形成することを特徴とする請求項１０に記載の積層造形装置。
【請求項１２】
前記造形部は、前記吐出口に対向した位置から移動した前記転写媒体に対向し相対移動可能に設けられたステージと、前記溶融パターンを前記転写媒体から前記ステージに転写して積層する積層機構と、を備えることを特徴とする請求項１１に記載の積層造形装置。
【請求項１３】
前記第３電極に印加される電圧により、前記帯電樹脂粒子層に含まれる前記樹脂粒子が選択的に吐出され前記第２電極に到達することを特徴とする請求項１１または請求項１２に記載の積層造形装置。
【請求項１４】
所定の厚さに形成された前記帯電樹脂粒子層に含まれる前記樹脂粒子が選択的に吐出され前記第２電極に到達することにより、前記転写媒体の表面に形成される前記溶融パターンの層厚が所定の厚みに制御されることを特徴とする請求項１３に記載の積層造形装置。
【請求項１５】
前記帯電機構は、摩擦帯電により前記樹脂粒子を帯電させることを特徴とする請求項１１ないし請求項１４のいずれか一項に記載の積層造形装置。
【請求項１６】
前記吐出ヘッドが複数備えられ、前記複数の吐出ヘッドから吐出された前記樹脂粒子により前記転写媒体の表面に形成される前記溶融パターンの層厚が所定の厚みに制御されることを特徴とする請求項１０ないし請求項１５のいずれか一項に記載の積層造形装置。
【請求項１７】
前記樹脂粒子は、色材を有していることを特徴とする請求項１０ないし請求項１６のいずれか一項に記載の積層造形装置。
【請求項１８】
前記色材としてシアン、マゼンタ、イエロー、白を個別に有する前記樹脂粒子および透明な前記樹脂粒子を含む複数の色種類の前記樹脂粒子が用いられ、
前記吐出ヘッドは、それぞれの色種類の前記樹脂粒子において独立して備えられていることを特徴とする請求項１７に記載の積層造形装置。
【請求項１９】
前記樹脂粒子には、白色または透明な疎水性粒子が外添されていることを特徴とする請求項１０ないし請求項１８のいずれか一項に記載の積層造形装置。
【請求項２０】
前記吐出ヘッドは、前記転写媒体が相対移動する方向と交差する方向に相対移動可能に設けられていることを特徴とする請求項１０ないし請求項１９のいずれか一項に記載の積層造形装置。
【請求項２１】
前記第１電極は、円柱側面形状に形成され、前記搬送機構は、前記第１電極を軸回りに回転移動させることにより、前記帯電樹脂粒子層を前記吐出口に搬送することを特徴とする請求項１１ないし請求項２０のいずれか一項に記載の積層造形装置。
【請求項２２】
前記転写媒体は、円柱側面形状に構成され、
前記積層機構は、
前記転写媒体を軸回りに回転移動する第１移動機構と、
前記ステージを前記転写媒体の回転移動の接線方向および前記接線方向に交差する方向に移動する第２移動機構と、を備え、
前記転写媒体の回転移動と、前記ステージの移動とが同期して、
前記転写媒体を軸回りに回転移動させながら、前記溶融パターンを前記ステージあるいは前記ステージに先に転写積層され冷却固化した、または冷却固化し始めている前記溶融パターンの表層部分に押圧することで転写して積層することを特徴とする請求項１１ないし請求項２１のいずれか一項に記載の積層造形装置。
【請求項２３】
前記転写媒体は、環状ベルトの形状に構成され、
前記積層機構は、
前記転写媒体をベルト駆動する第１移動機構と、
前記転写媒体の環状ベルトの内側から押圧するローラーと、
前記ステージを、前記ローラーと前記転写媒体の環状ベルトとの接線方向および前記接線方向に交差する方向に移動する第２移動機構と、を備え、
前記転写媒体のベルト駆動と、前記ステージの移動とが同期して、
前記転写媒体をベルト駆動させながら、前記ローラーにより前記溶融パターンを前記ステージあるいは前記ステージに先に転写積層され冷却固化した、または冷却固化し始めている前記溶融パターンの表層部分に押圧することで転写して積層することを特徴とする請求項１１ないし請求項２１のいずれか一項に記載の積層造形装置。
【発明の詳細な説明】
【技術分野】
【０００１】
本発明は、積層造形方法および積層造形装置に関する。
【背景技術】
【０００２】
従来、３次元形状の立体モデルを積層造形する方法として、ＵＶ硬化樹脂を立体モデルの断面形状にレーザーで硬化させて各層を形成する光造形法、粉末材料をレーザーで溶着し固化させて各層を形成する粉末焼結法、熱可塑性材料を加熱しノズルから押し出して堆積させることにより各層を形成する溶融物堆積法、紙などのシート材をモデルの断面形状にカットして積層し接着することにより形成するシート積層法、などが提案されている。
【０００３】
このような積層造形においては、造形される立体モデルの質感や寸法精度をより高めたいとするニーズがあり、その為に、フルカラーに対応でき、また、高精細・高精度に積層体を構成できる技術が求められている。２次元画像の形成においては、微細なインク滴により、フルカラーで高精細な画像の形成ができるインクジェット方式によるプリンターなどの技術革新がはかられている。同様に、３次元形状の立体モデルを積層造形する方法としても、微細で、かつ色材を有する樹脂粒子を用いることが有効と考えられる。つまり、微細で、色材を有する樹脂粒子によって高精細・高精度な各層を形成して積層することにより、質感や寸法精度をより高めた３次元形状の立体モデルを積層造形することが可能となる。
特許文献１には、顔料粒子を制御された電界により吐出させて転写ベルトに顔料画像を形成し、顔料画像を転写ベルトから情報キャリアに転写することでカラー画像を印刷する技術が開示されている。
【先行技術文献】
【特許文献】
【０００４】
【特許文献１】特表２００２−５０６７６２号公報
【発明の概要】
【発明が解決しようとする課題】
【０００５】
しかしながら、特許文献１に開示される技術は、２次元画像の形成を目的としており、立体モデルの造形、つまり３次元方向の寸法精度については何ら考慮されていない。従って、特許文献１に開示されている技術だけでは、フルカラーに対応し、また、高精細・高精度に積層体を構成することができないという課題があった。
【課題を解決するための手段】
【０００６】
本発明は、上述の課題の少なくとも一部を解決するためになされたものであり、以下の適用例または形態として実現することが可能である。
【０００７】
［適用例１］  本適用例に係る積層造形方法は、樹脂粒子を帯電させる帯電工程と、帯電した前記樹脂粒子を電界加速して吐出し、吐出された前記樹脂粒子により転写媒体の表面に粒子パターンを形成する粒子パターン形成工程と、前記粒子パターンを構成する前記樹脂粒子を溶融し溶融パターンを形成する工程と、前記溶融パターンを前記転写媒体から転写して積層する工程と、を含むことを特徴とする。
【０００８】
本適用例による積層造形方法は、樹脂粒子を帯電させる帯電工程と、帯電した樹脂粒子を電界加速して吐出し、吐出された樹脂粒子により転写媒体の表面に粒子パターンを形成する粒子パターン形成工程とを含む。従って、より微細な樹脂粒子を活用することで、樹脂粒子を電界加速して吐出するノズルをより微細化することが可能であり、電界加速する電圧制御をより高速、高分解能にて行うことによって、より高精細・高精度な粒子パターンを形成することができる。
また、本適用例による積層造形方法は、粒子パターンを構成する樹脂粒子を溶融し溶融パターンを形成する工程と、溶融パターンを転写媒体から転写して積層する工程とを含む。より高精細・高精度に形成された粒子パターンを溶融し溶融パターンを形成することで、積層構造体の各層をより高精細に形成することができる。より高精細に形成された各層を積層することで、より高精細な積層構造体を造形することができる。
【０００９】
また、本適用例による積層造形方法は、樹脂粒子を吐出するノズルと、粒子パターンを形成する転写媒体とを非接触に構成することができ、また、粒子パターンが形成される位置と、形成された粒子パターンを溶融し溶融パターンを形成する位置とを離して構成することが可能である。そのため、溶融パターンの形成に対する温度の影響をより低減することができ、加熱された転写媒体によるノズルやノズル内の樹脂粒子の加熱が抑制され、より安定して積層造形を行うことができる。
以上のように、本適用例による積層造形方法よれば、より高精細・高精度の積層造形をより安定して行うことができる。
【００１０】
［適用例２］  上記適用例に係る積層造形方法において、前記帯電工程で帯電した前記樹脂粒子を第１電極の表面に並べ、所定の厚さに帯電樹脂粒子層を形成する工程と、前記第１電極を移動して、帯電した前記樹脂粒子が吐出される吐出口に前記帯電樹脂粒子層を供給する工程と、を含み、前記転写媒体は、第２電極を構成し、前記粒子パターン形成工程は、前記吐出口に移動した前記第１電極と、前記吐出口に移動した前記第１電極と前記第２電極との間に位置する前記吐出口に備えられた第３電極とで形成する電界により、前記帯電樹脂粒子層に含まれる前記樹脂粒子を電界加速して前記吐出口から吐出し、前記第３電極と前記第２電極とで形成する電界により、吐出された前記樹脂粒子を前記第２電極に到達させることにより前記転写媒体の表面に粒子パターンを形成することを特徴とする。
【００１１】
本適用例による積層造形方法は、帯電工程で帯電した樹脂粒子を第１電極の表面に並べ、所定の厚さに帯電樹脂粒子層を形成する工程と、第１電極を移動して、帯電した樹脂粒子が吐出される吐出口（ノズル）に帯電樹脂粒子層を供給する工程とを含む。つまり、樹脂粒子が吐出される吐出口に、所定の厚さの帯電樹脂粒子層として形成された樹脂粒子が供給される。
【００１２】
また、転写媒体は、第２電極を構成し、粒子パターン形成工程は、吐出口に移動した第１電極と、この第１電極と第２電極との間に位置する吐出口に備えられた第３電極とで形成する電界により、帯電樹脂粒子層に含まれる樹脂粒子を電界加速して吐出口から吐出し、第３電極と第２電極とで形成する電界により、吐出された樹脂粒子を第２電極に到達させることにより転写媒体の表面に粒子パターンを形成する。
つまり、所定の厚さの帯電樹脂粒子層として第１電極の表面に並ぶ樹脂粒子が、第１電極と吐出口に備えられた第３電極とで形成される電界によって電界加速され吐出される。電界加速される対象領域の樹脂粒子が所定の厚さに並んでいるため、吐出される樹脂粒子（あるいは樹脂粒子群）の量のバラツキが低減される。その結果、第３電極と第２電極とで形成する電界により、第２電極に到達する樹脂粒子の量は一定の範囲にコントロールされる。すなわち、第２電極（転写媒体）に形成される粒子パターンの厚みが一定の範囲にコントロールされる。その結果、溶融パターンが積層される積層構造体の寸法がより高精度にコントロールされ、より高精細・高精度の積層造形を行うことができる。
【００１３】
［適用例３］  上記適用例に係る積層造形方法において、前記第３電極に印加する電圧を制御することにより、前記帯電樹脂粒子層に含まれる前記樹脂粒子を選択的に吐出して前記第２電極に到達させることを特徴とする。
【００１４】
本適用例によれば、第３電極に印加する電圧（電位）を制御することにより、帯電樹脂粒子層に含まれる樹脂粒子を選択的に吐出して第２電極に到達させる。例えば、マイナスに帯電させた樹脂粒子を第１電極の表面に並べ、吐出口に備える第３電極を第１電極に対し必要充分なプラス電位とすることで生じる電界によって樹脂粒子を第１電極から剥離し加速することができる。また、さらに転写媒体（第２電極）を第３電極に対してプラス電位とすることで、第１電極から吐出口を経由し吐出された樹脂粒子を、転写媒体に到達させることができる。このように、第３電極に印加する電圧を制御することで、樹脂粒子の吐出制御（吐出の有無、吐出のタイミングなど）を行うことができ、例えば、次々と供給される帯電した樹脂粒子を吐出制御しながら、吐出口に対して相対移動する転写媒体に到達（付着）させることで、転写媒体の表面に樹脂粒子による画像（粒子パターン）を形成することができる。
【００１５】
［適用例４］  上記適用例に係る積層造形方法において、所定の厚さに形成された前記帯電樹脂粒子層に含まれる前記樹脂粒子を選択的に吐出して前記第２電極に到達させることにより、前記転写媒体の表面に形成される前記溶融パターンの層厚を所定の厚みに制御することが好ましい。
【００１６】
本適用例のように、所定の厚さに形成された帯電樹脂粒子層に含まれる樹脂粒子を選択的に吐出して第２電極に到達させることにより、転写媒体の表面に形成される溶融パターンの層厚を所定の厚みに制御することで、溶融パターンが積層される積層造形の寸法をより高精度にコントロールすることができ、より高精細・高精度の積層造形を行うことができる。
【００１７】
［適用例５］  上記適用例に係る積層造形方法において、前記帯電工程は、摩擦帯電により前記樹脂粒子を帯電させることが好ましい。
【００１８】
本適用例のように、帯電工程では、摩擦帯電により樹脂粒子を帯電させることにより、比較的容易に帯電した樹脂粒子を準備することができる。具体的には、例えば、ケースの内部で樹脂粒子を攪拌する構成とすることにより、容易に帯電させることができる。この場合、樹脂粒子に対し、帯電列上でより離れて位置する材質の部材と摩擦させることがより好ましく、より効率的に帯電させることができる。
【００１９】
［適用例６］  上記適用例に係る積層造形方法において、前記粒子パターン形成工程は、複数の前記吐出口を用いて行うことが好ましい。
【００２０】
本適用例のように、粒子パターン形成工程は、複数の吐出口を用いて行うことにより、より効率的（より高速）に粒子パターンを形成することができる。
【００２１】
［適用例７］  上記適用例に係る積層造形方法において、前記樹脂粒子は、色材を有していることが好ましい。
【００２２】
本適用例のように、樹脂粒子が色材を有することで、彩色された積層構造体を造形することができる。
【００２３】
［適用例８］  上記適用例に係る積層造形方法において、前記色材としてシアン、マゼンタ、イエロー、白を個別に有する前記樹脂粒子および透明な前記樹脂粒子を含む複数の色種類の前記樹脂粒子を用い、前記帯電工程および前記粒子パターン形成工程は、それぞれの色種類の前記樹脂粒子において独立して行うことを特徴とする。
【００２４】
本適用例のように、色材としてシアン、マゼンタ、イエロー、白を個別に有する樹脂粒子および透明な樹脂粒子を含む複数の色種類の樹脂粒子を用い、帯電工程および粒子パターン形成工程は、それぞれの色種類の樹脂粒子において独立して行うことで、フルカラーに対応した積層構造体を造形することができる。
【００２５】
［適用例９］  上記適用例に係る積層造形方法において、前記樹脂粒子には、白色または透明な疎水性粒子が外添されていることが好ましい。
【００２６】
本適用例のように、樹脂粒子に白色または透明な疎水性粒子が外添されることで、樹脂同士の付着、凝集が起こりにくく、その結果、帯電および電界加速による吐出をより効率的・効果的に行うことができる。
【００２７】
［適用例１０］  本適用例に係る積層造形装置は、帯電した樹脂粒子を電界加速して選択的に吐出する吐出ヘッドと、吐出された前記樹脂粒子を捕捉することで、その表面に前記樹脂粒子による粒子パターンが形成される転写媒体と、前記粒子パターンを構成する前記樹脂粒子を溶融し、前記転写媒体の表面に溶融パターンを形成する溶融部と、前記溶融パターンが転写される造形部と、を備えることを特徴とする。
【００２８】
本適用例によれば、積層造形装置は、帯電した樹脂粒子を電界加速して選択的に吐出する吐出ヘッドと、吐出された樹脂粒子を捕捉することで、その表面に樹脂粒子による粒子パターンが形成される転写媒体とを備える。従って、より微細な樹脂粒子を活用することで、樹脂粒子を電界加速して吐出するノズル（つまりは吐出ヘッド）をより微細化（小型化）することが可能であり、電界加速する電圧制御をより高速、高分解能にて行うことによって、より高精細・高精度な粒子パターンを形成することができる。
また、本適用例によれば、積層造形装置は、粒子パターンを構成する樹脂粒子を溶融し、転写媒体の表面に溶融パターンを形成する溶融部と、溶融パターンが転写される造形部とを備える。より高精細・高精度に形成された粒子パターンを溶融し溶融パターンを形成することで、積層構造体の各層をより高精細に形成することができる。より高精細に形成された各層を積層することで、より高精細な積層構造体を造形することができる。
【００２９】
また、本適用例によれば、樹脂粒子を吐出するノズル（吐出ヘッド）と、粒子パターンを形成する転写媒体とを非接触に構成することができ、また、粒子パターンが形成される位置と、形成された粒子パターンを溶融し溶融パターンを形成する位置とを離して構成することが可能である。そのため、溶融パターンの形成に対する温度の影響をより低減することができ、加熱された転写媒体によるノズルやノズル内の樹脂粒子の加熱が抑制され、より安定して積層造形を行うことができる。つまり、より信頼性の高い装置とすることができる。
以上のように、本適用例によれば、より高精細・高精度の積層造形をより安定して行うことができ、信頼性のより高い積層造形装置を提供することができる。
【００３０】
［適用例１１］  上記適用例に係る積層造形装置において、前記吐出ヘッドは、第１電極と、吐出口と、樹脂粒子を帯電させる帯電機構と、帯電した前記樹脂粒子を前記第１電極の表面に並べ、所定の厚さに帯電樹脂粒子層を形成する帯電樹脂粒子層形成機構と、前記第１電極を移動して前記帯電樹脂粒子層を前記吐出口に搬送する搬送機構と、前記吐出口に備えられた第３電極と、を備え、前記転写媒体は、前記吐出口に対向し相対移動可能に設けられ、第２電極を構成し、前記吐出口に移動した前記第１電極と、前記吐出口に移動した前記第１電極と前記第２電極との間に位置する前記第３電極とで形成する電界により、前記帯電樹脂粒子層に含まれる前記樹脂粒子を電界加速して前記吐出口から吐出し、前記第３電極と前記第２電極とで形成する電界により、吐出された前記樹脂粒子を前記第２電極に到達させることにより前記転写媒体の表面に粒子パターンを形成することを特徴とする。
【００３１】
本適用例によれば、吐出ヘッドは、第１電極と、吐出口と、樹脂粒子を帯電させる帯電機構と、帯電した樹脂粒子を第１電極の表面に並べ、所定の厚さに帯電樹脂粒子層を形成する帯電樹脂粒子層形成機構と、第１電極を移動して帯電樹脂粒子層を吐出口に搬送する搬送機構とを備えている。
つまり、本適用例によれば、樹脂粒子が吐出される吐出口に、所定の厚さの帯電樹脂粒子層として形成された樹脂粒子が供給される。
【００３２】
また、吐出ヘッドは、吐出口に備えられた第３電極を備え、転写媒体は、吐出口に対向し相対移動可能に設けられ、第２電極を構成している。吐出口に移動した第１電極と、この第１電極と第２電極との間に位置する第３電極とで形成する電界により、帯電樹脂粒子層に含まれる樹脂粒子を電界加速して吐出口から吐出し、第３電極と第２電極とで形成する電界により、吐出された樹脂粒子を第２電極に到達させることにより転写媒体の表面に粒子パターンを形成する。
つまり、所定の厚さの帯電樹脂粒子層として第１電極の表面に並ぶ樹脂粒子が、第１電極と吐出口に備えられた第３電極とで形成される電界によって電界加速され吐出される。電界加速される対象領域の樹脂粒子が所定の厚さに並んでいるため、吐出される樹脂粒子（あるいは樹脂粒子群）の量のバラツキが低減される。その結果、第３電極と第２電極とで形成する電界により、第２電極に到達する樹脂粒子の量は一定の範囲にコントロールされる。すなわち、第２電極（転写媒体）に形成される粒子パターンの厚みが一定の範囲にコントロールされる。
【００３３】
以上のように、本適用例による積層造形装置によれば、溶融パターンを形成する粒子パターンの寸法がより高精度にコントロールされるため、より高精細・高精度の積層造形を行うことができる。
【００３４】
［適用例１２］  上記適用例に係る積層造形装置において、前記造形部は、前記吐出口に対向した位置から移動した前記転写媒体に対向し相対移動可能に設けられたステージと、前記溶融パターンを前記転写媒体から前記ステージに転写して積層する積層機構と、を備えることを特徴とする。
【００３５】
本適用例によれば、造形部は、吐出口に対向した位置から移動した転写媒体に対向し相対移動可能に設けられたステージと、溶融パターンを転写媒体からステージに転写して積層する積層機構とを備えている。つまり、造形部は、厚みが一定の範囲にコントロールされた溶融パターンを転写媒体からステージに転写して積層し、積層構造体を造形する。溶融パターンが積層される積層構造体の寸法がより高精度にコントロールされるため、より高精細・高精度の積層造形を行うことができる。
【００３６】
［適用例１３］  上記適用例に係る積層造形装置において、前記第３電極に印加される電圧により、前記帯電樹脂粒子層に含まれる前記樹脂粒子が選択的に吐出され前記第２電極に到達することを特徴とする。
【００３７】
本適用例によれば、第３電極に印加する電圧（電位）を制御することにより、帯電樹脂粒子層に含まれる樹脂粒子を選択的に吐出して第２電極に到達させる。例えば、マイナスに帯電させた樹脂粒子を第１電極の表面に並べ、吐出口に備える第３電極を第１電極に対し必要充分なプラス電位とすることで生じる電界によって樹脂粒子を第１電極から剥離し加速することができる。また、さらに転写媒体（第２電極）を第３電極に対してプラス電位とすることで、第１電極から吐出口を経由し吐出された樹脂粒子を、転写媒体に到達させることができる。このように、第３電極に印加する電圧を制御することで、樹脂粒子の吐出制御（吐出の有無、吐出のタイミングなど）を行うことができ、例えば、次々と供給される帯電した樹脂粒子を吐出制御しながら、吐出口に対して相対移動する転写媒体に到達（付着）させることで、転写媒体の表面に樹脂粒子による画像（粒子パターン）を形成することができる。
【００３８】
［適用例１４］  上記適用例に係る積層造形装置において、所定の厚さに形成された前記帯電樹脂粒子層に含まれる前記樹脂粒子が選択的に吐出され前記第２電極に到達することにより、前記転写媒体の表面に形成される前記溶融パターンの層厚が所定の厚みに制御されることが好ましい。
【００３９】
本適用例のように、所定の厚さに形成された帯電樹脂粒子層に含まれる樹脂粒子を選択的に吐出して第２電極に到達させることにより、転写媒体の表面に形成される溶融パターンの層厚を所定の厚みに制御することで、溶融パターンが積層される積層構造体の寸法をより高精度にコントロールすることができ、より高精細・高精度の積層造形を行うことができる。
【００４０】
［適用例１５］  上記適用例に係る積層造形装置において、前記帯電機構は、摩擦帯電により前記樹脂粒子を帯電させることが好ましい。
【００４１】
本適用例のように、摩擦帯電により樹脂粒子を帯電させる帯電機構を備えることにより、比較的容易に帯電した樹脂粒子を準備することができる。具体的には、例えば、ケースの内部で樹脂粒子を攪拌する構成とすることにより、容易に帯電機構を構成することができる。この場合、樹脂粒子に対し、帯電列上でより離れて位置する材質の部材と摩擦させる構成とすることがより好ましく、より効率的に帯電させることができる。
【００４２】
［適用例１６］  上記適用例に係る積層造形装置において、前記吐出ヘッドが複数備えられ、前記複数の吐出ヘッドから吐出された前記樹脂粒子により前記転写媒体の表面に形成される前記溶融パターンの層厚が所定の厚みに制御されることが好ましい。
【００４３】
本適用例のように、複数の吐出ヘッドを備えることにより、より効率的（より高速）に粒子パターンを形成することができる。また、複数の吐出ヘッドから吐出された樹脂粒子により形成される溶融パターンの層厚が所定の厚みに制御されることで、溶融パターンが積層される積層構造体の寸法をより高精度にコントロールすることができる。つまり、本適用例によれば、より高速で、より高精細・高精度の積層造形装置を提供することができる。
【００４４】
［適用例１７］  上記適用例に係る積層造形装置において、前記樹脂粒子は、色材を有していることが好ましい。
【００４５】
本適用例のように、樹脂粒子が色材を有することで、積層造形装置は、彩色された積層構造体を造形することができる。
【００４６】
［適用例１８］  上記適用例に係る積層造形装置において、前記色材としてシアン、マゼンタ、イエロー、白を個別に有する前記樹脂粒子および透明な前記樹脂粒子を含む複数の色種類の前記樹脂粒子が用いられ、前記吐出ヘッドは、それぞれの色種類の前記樹脂粒子において独立して備えられていることを特徴とする。
【００４７】
本適用例のように、色材としてシアン、マゼンタ、イエロー、白を個別に有する樹脂粒子および透明な樹脂粒子を含む複数の色種類の樹脂粒子が用いられ、吐出ヘッドは、それぞれの色種類の樹脂粒子において独立して備えられることで、フルカラーに対応した積層構造体を造形することができる。
【００４８】
［適用例１９］  上記適用例に係る積層造形装置において、前記樹脂粒子には、白色または透明な疎水性粒子が外添されていることが好ましい。
【００４９】
本適用例のように、樹脂粒子に白色または透明な疎水性粒子が外添されることで、樹脂同士の付着、凝集が起こりにくく、その結果、帯電および電界加速による吐出をより効率的・効果的に行うことができる。
【００５０】
［適用例２０］  上記適用例に係る積層造形装置において、前記吐出ヘッドは、前記転写媒体が相対移動する方向と交差する方向に相対移動可能に設けられていることを特徴とする。
【００５１】
本適用例によれば、吐出ヘッドは、転写媒体が吐出口に対して相対移動する方向と交差する方向に相対移動可能に設けられている。つまり、吐出ヘッドおよび転写媒体はそれぞれに相対移動可能に設けられている。その結果、吐出ヘッドが転写媒体に対して粒子パターンを描画するための自由度が増すため、同じ範囲の描画に必要な吐出ヘッドの大きさをより小型に構成することができる。
【００５２】
［適用例２１］  上記適用例に係る積層造形装置において、前記第１電極は、円柱側面形状に形成され、前記搬送機構は、前記第１電極を軸回りに回転移動させることにより、前記帯電樹脂粒子層を前記吐出口に搬送することを特徴とする。
【００５３】
本適用例によれば、第１電極は、円柱側面形状に形成され、搬送機構は、第１電極を軸回りに回転移動させることにより、帯電樹脂粒子層を吐出口に搬送する。このように構成することにより、第１電極をシームレスに構成することができるため、シームレスに帯電樹脂粒子層を吐出口に搬送することが可能となる。その結果、溶融パターンの厚みにばらつきが発生することを抑制することができる。
【００５４】
［適用例２２］  上記適用例に係る積層造形装置において、前記転写媒体は、円柱側面形状に構成され、前記積層機構は、前記転写媒体を軸回りに回転移動する第１移動機構と、前記ステージを前記転写媒体の回転移動の接線方向および前記接線方向に交差する方向に移動する第２移動機構と、を備え、前記転写媒体の回転移動と、前記ステージの移動とが同期して、前記転写媒体を軸回りに回転移動させながら、前記溶融パターンを前記ステージあるいは前記ステージに先に転写積層され冷却固化した、または冷却固化し始めている前記溶融パターンの表層部分に押圧することで転写して積層することを特徴とする。
【００５５】
本適用例によれば、転写媒体は、円柱側面形状に構成されている。また、積層機構は、転写媒体を軸回りに回転移動する第１移動機構と、ステージを転写媒体の回転移動の接線方向および接線方向に交差する方向に移動する第２移動機構とを備え、転写媒体の回転移動とステージの移動とが同期して転写媒体を軸回りに回転移動させながら、溶融パターンをステージあるいはステージに先に転写積層され冷却固化した、または冷却固化し始めている前記溶融パターンの表層部分パターンに押圧することで転写して積層する。
転写媒体の回転移動とステージの移動とが同期しているため、積層する溶融パターンに発生する位置ズレを抑制することができる。また、円柱側面形状の転写媒体の表面に形成された溶融パターンをステージあるいはステージに先に転写積層され冷却固化した、または冷却固化し始めている溶融パターンの表層部分に押圧することで転写して積層する構成のため、溶融パターンが曲率分離されることで、よりスムーズに転写・積層させることができる。
【００５６】
［適用例２３］  上記適用例に係る積層造形装置において、前記転写媒体は、環状ベルトの形状に構成され、前記積層機構は、前記転写媒体をベルト駆動する第１移動機構と、前記転写媒体の環状ベルトの内側から押圧するローラーと、前記ステージを、前記ローラーと前記転写媒体の環状ベルトとの接線方向および前記接線方向に交差する方向に移動する第２移動機構と、を備え、前記転写媒体のベルト駆動と、前記ステージの移動とが同期して、前記転写媒体をベルト駆動させながら、前記ローラーにより前記溶融パターンを前記ステージあるいは前記ステージに先に転写積層され冷却固化した、または冷却固化し始めている前記溶融パターンの表層部分に押圧することで転写して積層することを特徴とする。
【００５７】
本適用例によれば、転写媒体は、環状ベルトの形状に構成されている。また、積層機構は、転写媒体をベルト駆動する第１移動機構と、転写媒体の環状ベルトの内側から押圧するローラーと、ステージを、ローラーと転写媒体の環状ベルトとの接線方向および接線方向に交差する方向に移動する第２移動機構とを備え、転写媒体のベルト駆動と、ステージの移動とが同期して、転写媒体をベルト駆動させながら、ローラーにより溶融パターンをステージあるいはステージに先に転写積層され冷却固化した、または冷却固化し始めている溶融パターンの表層部分に押圧することで転写して積層する。
転写媒体のベルト駆動とステージの移動とが同期しているため、積層する溶融パターンに発生する位置ズレを抑制することができる。また、ローラーにより押圧されたベルト（転写媒体）の表面に形成された溶融パターンをステージあるいはステージに先に転写積層され冷却固化した、または冷却固化し始めている溶融パターンの表層部分に押圧することで転写して積層する構成のため、溶融パターンが曲率分離されることで、よりスムーズに転写・積層させることができる。
【図面の簡単な説明】
【００５８】
【図１】実施形態１に係る積層造形装置の構成を示す側面概念図
【図２】（ａ）吐出ヘッドを説明する断面概念図、（ｂ）吐出口を示す平面図
【図３】（ａ）図１のＡ部拡大図、（ｂ）吐出口周囲の平面図
【図４】ステージと転写媒体との同期駆動を説明する概念図
【図５】変形例１に係る積層造形装置の構成を示す側面概念図
【発明を実施するための形態】
【００５９】
以下に本発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。また、説明の便宜上、図に付記するＸＹＺ軸において、Ｘ方向を右方向、Ｘ軸方向（±Ｘ方向）を横方向、Ｙ方向を前方向、Ｙ軸方向（±Ｙ方向）を前後方向、Ｚ方向を上方向、Ｚ軸方向（±Ｚ方向）を上下方向として説明する。
【００６０】
（実施形態１）
図１は、実施形態１に係る積層造形装置１００の構成を示す概念側面図である。
積層造形装置１００は、３次元形状の立体モデルの断面を構成する各層（断面層）を次々に積層して立体を造形する装置である。
積層造形装置１００は、帯電した樹脂粒子１を電界加速して選択的に吐出する吐出ヘッド１０、吐出された樹脂粒子１を捕捉することでその表面に樹脂粒子１による粒子パターン２が形成される転写媒体２０、粒子パターン２を構成する樹脂粒子１を溶融し転写媒体２０の表面に溶融パターン３を形成する溶融部３０、溶融パターン３が転写される造形部４０などを備えている。造形部４０において溶融パターン３が積層されることで、積層構造体４が形成（造形）される。また、溶融パターン３の転写が完了した転写媒体２０の表面をクリーニングするクリーニングブレード（図示省略）を有するクリーニング部５０などを備えている。
【００６１】
積層造形装置１００による積層造形方法としては、樹脂粒子１を帯電させる帯電工程と、帯電した樹脂粒子１を電界加速して吐出し、吐出された樹脂粒子１により転写媒体２０の表面に粒子パターン２を形成する粒子パターン形成工程と、粒子パターン２を構成する樹脂粒子１を溶融し溶融パターン３を形成する工程と、溶融パターン３を転写媒体２０から転写して積層する工程とを含んでいる。
【００６２】
つまり、まず、立体モデルの断面層を形成するために、立体モデルの断面形状に合わせて所定の厚さとなるように並べられた樹脂粒子のパターン（粒子パターン２）を形成する。粒子パターン２は、帯電した樹脂粒子１を選択的に電界加速して吐出することにより、転写媒体２０の表面に、立体モデルの断面形状に合わせた所望の並びのパターンとして形成される。
次に、転写媒体２０の表面に並んだ樹脂粒子１を加熱して溶融することにより、上下左右に隣接する樹脂粒子１を融合させて、断面層としての溶融パターン３を形成する。この溶融パターン３を次々に転写して積層することにより３次元形状の立体モデルが造形される。
【００６３】
以下、積層造形装置１００を構成するそれぞれの部位毎に具体的に説明する。
【００６４】
＜吐出ヘッド＞
図２（ａ）は、吐出ヘッド１０を説明する概念断面図、図２（ｂ）は、吐出ヘッド１０が備える吐出口を示す平面図である。
吐出ヘッド１０は、樹脂粒子１を収納するカートリッジ１１、樹脂粒子１を帯電させ吐出する樹脂吐出部１２などを備えている。
カートリッジ１１は、筐体１１１を備えている。筐体１１１は、内部に樹脂粒子１を収納し、樹脂吐出部１２と連結することで、樹脂吐出部１２に樹脂粒子１を供給する。筐体１１１の内部に収納された樹脂粒子１は、重力（樹脂粒子１の自重）あるいは押圧機構（図示省略）などによる力Ｆにより筐体１１１に連結された樹脂吐出部１２に移動する（供給される）。
【００６５】
樹脂吐出部１２は、搬送ローラー１２１（搬送ローラー１２１は、後述する第１電極７１を構成する）、複数の吐出口１２２を備えたヘッドプレート１２７、樹脂粒子１を帯電させる「帯電機構」、供給ローラー１２３、帯電した樹脂粒子１を搬送ローラー１２１の表面に並べ所定の厚さに帯電樹脂粒子層１Ｌを形成する規制ブレード１２５、駆動部（図示省略）などを備えている。これらは、ヘッド筐体１２６によって樹脂吐出部１２としてコンパクトにまとめられ、カートリッジ１１の装填を可能としている。
【００６６】
搬送ローラー１２１は、円柱側面形状（ドラム状）に形成されており、駆動部により回転することで帯電樹脂粒子層１Ｌを吐出口１２２に搬送する「搬送機構」を構成している。
供給ローラー１２３は、搬送ローラー１２１の周面に回転自在に接触して配設されるローラーであり、駆動部により回転しながら樹脂粒子１を摩擦帯電させて搬送ローラー１２１の表面に供給する。つまり、供給ローラー１２３は、「帯電機構」を構成する。なお、樹脂粒子の帯電は、この供給ローラー１２３との摩擦のみによらず、樹脂粒子が接触する部材（例えば搬送ローラー１２１や筐体１１１、ヘッド筐体１２６）との接触・剥離や摩擦によっても行われる。樹脂粒子１を帯電させる材料は、供給ローラー１２３を含め、樹脂粒子１に対し、帯電列上でより離れて位置する材質の部材を用いることが好ましく、より効率的に帯電させることができる。
【００６７】
なお、駆動部は、搬送ローラー１２１および供給ローラー１２３を回転させる駆動部として別々に備えられても良いし、一つの駆動部でそれぞれを同時に（図２（ａ）に示す矢印の様に逆の回転で）回転させる構成であっても良い。あるいは、供給ローラー１２３を回転させる駆動部として備え、供給ローラー１２３が搬送ローラー１２１の周面で回転することにより搬送ローラー１２１が回転する構成であっても良い。
また、搬送ローラー１２１と供給ローラー１２３とが別々に駆動する場合には、供給ローラー１２３を、図２（ａ）に示す矢印の方向と逆の方向に回転させても良い。このように搬送ローラー１２１の回転に逆らう方向で回転させることによって、樹脂粒子の流動性が向上すると共に、摩擦帯電の機会を向上させることができる。
【００６８】
規制ブレード１２５は、搬送ローラー１２１の周面を押圧する板状体であり、供給ローラー１２３によって搬送ローラー１２１の表面に重なるように供給された樹脂粒子１を、所定の厚さ（具体的には、樹脂粒子１が１〜２層に並ぶ厚さ）の層厚に薄層化する「帯電樹脂粒子層形成機構」を構成している。規制ブレード１２５は、一方の端部がヘッド筐体１２６に固定された弾性体であり、図２に示すように、押圧部にバネなどの弾性体を設ける構成であっても良い。樹脂粒子１は、規制ブレード１２５の押圧部で擦切られるように薄層化され、また規制ブレード１２５との摩擦帯電により帯電量がより均一化される。
【００６９】
ヘッドプレート１２７は、例えば、ポリイミド等の絶縁性かつ可撓性を持つ基板であり、その中央部には、搬送ローラー１２１の回転方向と交差する方向に交互に並ぶ２列の吐出口１２２が形成されている。吐出口１２２が並ぶ方向のヘッドプレート１２７の幅Ｗは、以下に説明する転写媒体２０の幅と略等しい長さに構成されている。
また、個々の吐出口１２２の周囲には、樹脂粒子１の吐出を制御するための第３電極７３が備えられている。第３電極７３を駆動制御する駆動回路１３０（ドライバーＩＣ）を樹脂吐出部１２に備えても良い。
【００７０】
吐出ヘッド１０は、図１に示すように、装填されるカートリッジ１１が収納する樹脂粒子１のタイプ毎に複数用いられる。樹脂粒子１のタイプは、樹脂粒子１が備える色材の種類や、色材の有無によって分けられる。具体的には、吐出ヘッド１０として、シアン色の樹脂粒子１を吐出する吐出ヘッド１０Ｃ、マゼンタ色の樹脂粒子１を吐出する吐出ヘッド１０Ｍ、イエロー色の樹脂粒子１を吐出する吐出ヘッド１０Ｙ、透明無色の樹脂粒子１を吐出する吐出ヘッド１０Ｔ、白色の樹脂粒子１を吐出する吐出ヘッド１０Ｗ、および、積層構造体４のオーバーハング等を造形時に支持し造形後除去されるサポート材の樹脂粒子１を吐出する吐出ヘッド１０Ｓなどが、それぞれ配設される。
粒子パターン２は、これら複数のタイプの樹脂粒子１によって構成される。つまり、粒子パターン２、溶融パターン３、積層構造体４は、複数の色材を含む樹脂によって構成される。
【００７１】
＜転写媒体＞
転写媒体２０は、図１に示すように、円柱側面形状（ドラム状）に構成されており、Ｘ―Ｙ平面に置かれた積層造形装置１００において、例えば、その円柱軸がＹ軸方向を向くように配置される。転写媒体２０は、後述する第２電極７２として構成されている。
転写媒体２０の上方（Ｚ方向）には、複数の吐出ヘッド１０が、吐出口１２２（図２）が転写媒体２０の表面に対向するように、所定の空隙を介して配置されている。転写媒体２０は、その円柱軸を回転軸として吐出ヘッド１０との空隙を一定に保ちながら回転可能に設置され、後述する「第１移動機構」により軸回りに回転移動する。
吐出ヘッド１０は、それぞれ、ヘッドプレート１２７の延在方向（吐出口１２２が並ぶ方向）が、対向する転写媒体２０の表面が回転移動する方向と交差する方向となるように設置されている。つまり、吐出ヘッド１０は、転写媒体２０に対してラインヘッドとして構成されている。
【００７２】
図３（ａ）は、図１に示すＡ部を拡大した断面概念図であり、吐出口１２２の周囲および対向する転写媒体２０を示している。図３（ｂ）は、吐出口１２２周囲の平面図である。
吐出口１２２の周囲には、第３電極７３が配設されている。
吐出口１２２の上部に位置する第１電極７１（つまりは、吐出口１２２の開口領域に樹脂粒子１を搬送してきた搬送ローラー１２１）と、この第１電極７１と第２電極７２（転写媒体２０）との間に位置する第３電極７３および第２電極７２とで、帯電した樹脂粒子１を第１電極７１から剥離し電界加速して吐出口１２２から吐出し、第２電極７２（転写媒体２０の表面）に到達させる電界が構成される。また、第３電極７３に印加される電圧（電位）を制御することにより、帯電樹脂粒子層１Ｌに含まれる樹脂粒子１が選択的に吐出され、第２電極７２に到達する。
【００７３】
具体的には、例えば、図３（ａ）に示すように、樹脂粒子１をマイナスに帯電させ、第１電極７１の電位を−２５０Ｖ、第３電極７３の電位を−１２５Ｖ、第２電極７２を接地電位（０Ｖ）とする。こうすると、第２電極７２（転写媒体２０）から第１電極７１（搬送ローラー１２１）に向かう電界が生成され、マイナスに帯電した樹脂粒子１は、第１電極７１から遊離して吐出口１２２から吐出され、第２電極７２（転写媒体２０の表面）に到達する。また、例えば、第３電極７３の電位を−３７５Ｖとしたときには、第１電極７１と第３電極７３との間に生成される電界の向きが逆となり、マイナスに帯電した樹脂粒子１は、第１電極７１（搬送ローラー１２１）に留まる。
このように、第３電極７３の電位を制御することで、搬送ローラー１２１によって次々と供給される帯電した樹脂粒子１を吐出制御しながら、吐出口１２２に対して移動する転写媒体２０に到達（付着）させることで、転写媒体２０の表面に粒子パターン２が形成される。
【００７４】
図３（ａ）において、樹脂粒子１が吐出される方向の空隙については、例えば、樹脂粒子１が１０μｍの球形粒子の場合、搬送ローラー１２１上の帯電樹脂粒子層１Ｌの層厚は略２層として２０μｍである。搬送ローラー１２１とヘッドプレート１２７との間隔は帯電樹脂粒子層１Ｌの層厚よりも大きくするのが摩耗を低減するのに有利であるため、例えば４０μｍとしている。また、ヘッドプレート１２７の厚みは例えば６０μｍ、ヘッドプレート１２７と転写媒体２０との空隙は１００μｍとしている。
搬送ローラー１２１とヘッドプレート１２７との空隙、および、ヘッドプレート１２７と転写媒体２０との空隙を維持するために、それぞれにスペーサー（図示省略）を設けると電界変動を防止し吐出量を均一にすることができるため好ましい。
【００７５】
また、転写媒体２０の回転移動を所定の速度とし、所定の厚さに形成された帯電樹脂粒子層１Ｌに含まれる樹脂粒子１が、第３電極７３の制御により選択的に吐出され第２電極７２に到達することにより、転写媒体２０の表面に形成される溶融パターン３の層厚が所定の厚みに制御される。つまり、複数の吐出ヘッド１０から吐出された樹脂粒子１により転写媒体２０の表面に形成される溶融パターン３の層厚が所定の厚みに制御される。
【００７６】
＜溶融部＞
溶融部３０は、粒子パターン２を構成する樹脂粒子１を溶融する熱源を備え、図１に示すように、転写媒体２０の表面（円柱側面）において、吐出ヘッド１０が設置された上部と、造形部４０との間に設置されている。溶融部３０は、粒子パターン２を構成する樹脂粒子１を溶融する手段として、ハロゲンランプ等の熱源を内部に有するヒートローラーなど（図示省略）を備えている。粒子パターン２は、ヒートローラーによりエア抜きされ所定の層厚にシート化され、溶融パターン３が形成される。
【００７７】
＜造形部＞
造形部４０は、転写媒体２０に対向し相対移動可能に設けられたステージ４１と、溶融パターン３を転写媒体２０からステージ４１に転写して積層する「積層機構」とを備えている。
「積層機構」は、転写媒体２０を軸回りに回転移動する第１移動機構（図示省略）と、ステージ４１を転写媒体２０の回転移動の接線方向および接線方向に交差する方向に移動する第２移動機構（図示省略）とを備えている。
転写媒体２０を軸回りに回転移動させながら、溶融パターン３をステージ４１あるいはステージ４１に先に転写積層され冷却固化した、または冷却固化し始めている溶融パターン３の表層部分に押圧することで転写して積層する。溶融パターン３は、ステージ４１上で粘着転写され、冷却されて積層構造体４が形成される。
【００７８】
ここで、ステージ４１は、図１に示す矢印Ｄ方向に循環移動し、転写媒体２０の回転と同期して、つまり、第１移動機構と、第２移動機構とが同期して（すなわち同周期で）移動する。
具体的には、例えば、図４に示すように、第１移動機構と第２移動機構とを同じ駆動モーターで構成し、転写媒体２０が１回転するとステージ４１が１サイクルの移動をするように構成している。また、駆動モーターがｎ（自然数）回転すると転写媒体２０が１回転し、駆動モーターがｍ（自然数）回転するとステージ４１が１サイクルの移動をするように構成している。このように構成することで、駆動モーターの変動がそれぞれ同位相で現れるため、溶融パターン３の積層ズレを抑制することができる。
【００７９】
＜樹脂粒子＞
樹脂粒子１は、体積平均粒子径が５〜２０μｍの異形もしくは球形の粒子で、その材料には、ポリエステル等の熱可塑性樹脂を用いている。有色の場合には、色材として、例えば、シアン、マゼンタ、イエロー、白の顔料を分散し粉砕法や重合法で作成される。
また、樹脂粒子１は、白色または透明な疎水性粒子が外添されている。具体的には、粒径が数ｎｍから数十ｎｍのシリカやチタニアといった無機微粒子が外添され、安息角で４５度以下の流動性が与えられる。従って、カートリッジ１１の内壁は樹脂粒子１が滞留しないように、重力方向に対して安息角以上に立った壁で構成することが望ましい。
【００８０】
＜積層造形方法＞
次に、上述した構成の積層造形装置１００によって積層構造体４を造形する一連の流れを示し、積層造形方法について説明する。
＜帯電工程＞
まず、各吐出ヘッド１０（１０Ｓ，１０Ｃ，１０Ｍ，１０Ｙ，１０Ｔ，１０Ｗ）に該当するカートリッジ１１を装填し、積層造形装置１００を稼動させ、各吐出ヘッド１０内で樹脂粒子１を帯電させ、所定の厚さに帯電樹脂粒子層１Ｌを準備する。
＜粒子パターン形成工程＞
次に、造形する積層構造体４の形状・色彩に応じ色重ねされた所定の厚さの各層（溶融パターン３）が形成されるように各吐出ヘッド１０の第３電極７３の電位を設定・制御し、吐出ヘッド１０の吐出口１２２に供給される樹脂粒子１を選択吐出することにより転写媒体２０の表面に粒子パターン２を形成する。
【００８１】
＜溶融パターンを形成する工程＞
次に、転写媒体２０の表面に形成された粒子パターン２を、転写媒体２０の回転に伴い溶融部３０に移動させる。溶融部３０の熱により樹脂粒子１を軟化溶融し、ヒートローラーによりエア抜きして所定の層厚の溶融パターン３を形成する。
＜転写して積層する工程＞
次に、転写媒体２０の表面に形成された溶融パターン３を、転写媒体２０の回転に伴い造形部４０に移動させる。造形部４０では、転写媒体２０を軸回りに回転移動させながら、溶融パターン３をステージ４１あるいはステージ４１に先に転写積層され冷却固化した、または冷却固化し始めている溶融パターン３の表層部分に押圧することで転写して積層する。溶融パターン３は、ステージ４１上で粘着転写される。
転写を終えた転写媒体２０は、クリーニング部５０に配設されるクリーニングブレードで表面を清掃されて、次の層の造形へと向かう。
転写媒体２０の回転による溶融パターン３の形成と、ステージ４１の移動を同期させ、以上の転写を繰りかえし、溶融パターン３を積層させることで積層構造体４が形成される。
【００８２】
以上述べたように、本実施形態による積層造形方法および積層造形装置によれば、以下の効果を得ることができる。
積層造形装置１００は、帯電した樹脂粒子１を電界加速して選択的に吐出する吐出ヘッド１０と、吐出された樹脂粒子１を捕捉することで、その表面に樹脂粒子１による粒子パターン２が形成される転写媒体２０とを備える。従って、より微細な樹脂粒子１を活用することで、樹脂粒子１を電界加速して吐出する吐出ヘッド１０をより微細化（小型化）することが可能であり、電界加速する電圧制御をより高速、高分解能にて行うことによって、より高精細・高精度な粒子パターン２を形成することができる。
また、積層造形装置１００は、粒子パターン２を構成する樹脂粒子１を溶融し、転写媒体２０の表面に溶融パターン３を形成する溶融部３０と、溶融パターン３が転写される造形部４０とを備える。より高精細・高精度に形成された粒子パターン２を溶融し溶融パターン３を形成することで、積層構造体４の各層をより高精細に形成することができる。より高精細に形成された各層を積層することで、より高精細な積層構造体４を造形することができる。
【００８３】
また、樹脂粒子１を吐出する吐出ヘッド１０と、粒子パターン２を形成する転写媒体２０とを非接触に構成することができ、また、粒子パターン２が形成される位置と、形成された粒子パターン２を溶融し溶融パターン３を形成する位置とを離して構成している。そのため、溶融パターン３の形成に対する温度の影響をより低減することができ、加熱された転写媒体２０によるヘッドプレート１２７や吐出口付近の樹脂粒子の加熱が抑制され、より安定して積層造形を行うことができる。
以上のように、より高精細・高精度の積層造形をより安定して行うことができ、信頼性のより高い積層造形装置を提供することができる。
【００８４】
また、吐出ヘッド１０は、第１電極７１と、吐出口１２２と、樹脂粒子１を帯電させる帯電機構と、帯電した樹脂粒子１を第１電極７１の表面に並べ、所定の厚さに帯電樹脂粒子層１Ｌを形成する帯電樹脂粒子層形成機構と、第１電極７１を移動して帯電樹脂粒子層１Ｌを吐出口１２２に搬送する搬送機構とを備えている。
つまり、樹脂粒子１が吐出される吐出口１２２に、所定の厚さの帯電樹脂粒子層１Ｌとして形成された樹脂粒子１が供給される。
【００８５】
また、吐出ヘッド１０は、吐出口１２２に備えられた第３電極７３を備え、転写媒体２０は、吐出口１２２に対向し相対移動可能に設けられ、第２電極７２を構成している。吐出口１２２に移動した第１電極７１と、この第１電極７１と第２電極７２との間に位置する第３電極７３とで形成する電界により、帯電樹脂粒子層１Ｌに含まれる樹脂粒子１を電界加速して吐出口１２２から吐出し、第３電極７３と第２電極７２とで形成する電界により、吐出された樹脂粒子１を第２電極７２に到達させることにより転写媒体２０の表面に粒子パターン２を形成する。
【００８６】
つまり、所定の厚さの帯電樹脂粒子層１Ｌとして第１電極７１の表面に並ぶ樹脂粒子１が、第１電極７１と吐出口１２２に備えられた第３電極７３とで形成される電界によって電界加速され吐出される。電界加速される対象領域の樹脂粒子１が所定の厚さに並んでいるため、吐出される樹脂粒子１の量のバラツキが低減される。その結果、第３電極７３と第２電極７２とで形成する電界により、第２電極７２に到達する樹脂粒子１の量は一定の範囲にコントロールされる。すなわち、第２電極７２（転写媒体２０）に形成される粒子パターン２の厚みが一定の範囲にコントロールされる。
【００８７】
また、造形部４０は、転写媒体２０に対向し相対移動可能に設けられたステージ４１と、溶融パターン３を転写媒体２０からステージ４１に転写して積層する積層機構とを備えている。つまり、造形部４０は、厚みが一定の範囲にコントロールされた溶融パターン３を転写媒体２０からステージ４１に転写して積層し、積層構造体４を造形する。
以上のように、本実施形態による積層造形装置１００によれば、溶融パターン３が積層される積層構造体４の寸法がより高精度にコントロールされるため、より高精細・高精度の積層造形を行うことができる。
【００８８】
また、第３電極７３に印加する電圧（電位）を制御することにより、帯電樹脂粒子層１Ｌに含まれる樹脂粒子１を選択的に吐出して第２電極７２に到達させる。第３電極７３に印加する電圧を制御することで、樹脂粒子１の吐出制御（吐出の有無、吐出のタイミングなど）を行うことができ、次々と供給される帯電した樹脂粒子１を吐出制御しながら、吐出口１２２に対して相対移動する転写媒体２０に到達（付着）させることで、転写媒体２０の表面に樹脂粒子１による画像（粒子パターン）を形成することができる。
【００８９】
また、所定の厚さに形成された帯電樹脂粒子層１Ｌに含まれる樹脂粒子１を選択的に吐出して第２電極７２に到達させることにより、転写媒体２０の表面に形成される溶融パターン３の層厚を所定の厚みに制御することで、溶融パターン３が積層される積層構造体４の寸法をより高精度にコントロールすることができ、より高精細・高精度の積層造形を行うことができる。
なお、図１のように複数色のヘッドを用いる場合には、各色で１〜２層、トータルで３〜５層として、転写媒体２０の周回ごとにフルカラーの溶融パターン３を形成し、これを転写して積層するのが好ましい。
【００９０】
また、摩擦帯電により樹脂粒子１を帯電させる帯電機構を備えることにより、比較的容易に帯電した樹脂粒子１を準備することができる。
【００９１】
また、複数の吐出ヘッド１０を備えることにより、より効率的（より高速）に粒子パターン２を形成することができる。また、複数の吐出ヘッド１０から吐出された樹脂粒子１により形成される溶融パターン３の層厚が所定の厚みに制御されることで、溶融パターン３が積層される積層構造体４の寸法をより高精度にコントロールすることができる。つまり、より高速で、より高精細・高精度の積層造形装置を提供することができる。
【００９２】
また、樹脂粒子１が色材を有することで、彩色された積層構造体４を造形することができる。
また、色材としてシアン、マゼンタ、イエロー、白を個別に有する樹脂粒子１および透明な樹脂粒子１を含む複数の色種類の樹脂粒子１が用いられ、吐出ヘッド１０は、それぞれの色種類の樹脂粒子１において独立して備えられることで、フルカラーに対応した積層構造体４を造形することができる。
【００９３】
また、樹脂粒子１に白色または透明な疎水性粒子が外添されることで、樹脂同士の付着、凝集が起こりにくく、その結果、帯電および電界加速による吐出をより効率的・効果的に行うことができる。
【００９４】
また、第１電極７１は、円柱側面形状に形成され、搬送機構は、第１電極７１を軸回りに回転移動させることにより、帯電樹脂粒子層１Ｌを吐出口１２２に搬送する。このように構成することにより、第１電極７１をシームレスに構成することができるため、シームレスに帯電樹脂粒子層１Ｌを吐出口１２２に搬送することが可能となる。その結果、溶融パターン３の厚みにばらつきが発生することを抑制することができる。
【００９５】
また、転写媒体２０は、円柱側面形状に構成されている。また、積層機構は、転写媒体２０を軸回りに回転移動する第１移動機構と、ステージ４１を転写媒体２０の回転移動の接線方向および接線方向に交差する方向に移動する第２移動機構とを備え、転写媒体２０の回転移動とステージ４１の移動とが同期して転写媒体２０を軸回りに回転移動させながら、溶融パターン３をステージ４１あるいはステージ４１に先に転写積層され冷却固化した、または冷却固化し始めている溶融パターン３の表層部分に押圧することで転写して積層する。
転写媒体２０の回転移動とステージ４１の移動とが同期しているため、積層する溶融パターン３に発生する位置ズレを抑制することができる。また、円柱側面形状の転写媒体２０の表面に形成された溶融パターン３をステージ４１あるいはステージ４１に先に転写積層され冷却固化した、または冷却固化し始めている溶融パターン３の表層部分に押圧することで転写して積層する構成のため、溶融パターン３が曲率分離されることで、よりスムーズに転写・積層させることができる。
【００９６】
なお、本発明は、上述した実施形態に限定されず、上述した実施形態に種々の変更や改良などを加えることが可能である。変形例を以下に述べる。ここで、上述した実施形態と同一の構成部位については、同一の符号を使用し、重複する説明は省略している。
【００９７】
（変形例１）
図５は、変形例１に係る積層造形装置１０１の構成を示す概念側面図である。
実施形態１では、図１に示すように、転写媒体２０は、円柱側面形状（ドラム状）に構成されているとして説明したが、この構成に限定するものではなく、図５に示す転写媒体９０のように環状ベルトの形状に構成されていても良い。
【００９８】
転写媒体９０は、環状ベルトの形状に構成され、「積層機構」は、転写媒体９０をベルト駆動する第１移動機構と、転写媒体９０の環状ベルトの内側から押圧するローラー９１と、ステージ４１を、ローラー９１と転写媒体９０の環状ベルトとの接線方向および接線方向に交差する方向に移動する第２移動機構とを備えている。転写媒体９０のベルト駆動と、ステージ４１の移動とが同期して、転写媒体９０をベルト駆動させながら、ローラー９１により溶融パターン３をステージ４１あるいはステージ４１に先に転写積層され冷却固化した、または冷却固化し始めている溶融パターン３の表層部分に押圧することで転写して積層する。
【００９９】
本変形例に係る積層造形装置１０１によれば、上述した実施形態での効果に加えて、以下の効果を得ることができる。
ローラー９１により押圧されたベルト（転写媒体９０）の表面に形成された溶融パターン３をステージ４１あるいはステージ４１に先に転写積層され冷却固化した、または冷却固化し始めている溶融パターン３の表層部分に押圧することで転写して積層する構成のため、溶融パターン３が曲率分離されることで、よりスムーズに転写・積層させることができる。実施形態１の転写媒体２０は、ドラム状であり、溶融パターン３を押圧する曲率は、ドラムの径により決まっていたが、ローラー９１の半径（つまりは曲率）転写媒体９０（ベルト）の長さによらず、ベルト環内に入る大きさの範囲で、任意に設定することができる。その結果、溶融パターン３を曲率分離させるためにより効果的な径のローラー９１を利用することが可能となる。
【０１００】
（変形例２）
実施形態１では、図２に示すように、吐出ヘッド１０が有するヘッドプレート１２７の幅Ｗは、転写媒体２０の幅と略等しい長さに構成されている、つまり、吐出ヘッド１０は、転写媒体２０に対してラインヘッドとして構成されているとして説明したが、この構成に限定するものではない。
吐出ヘッドを吐出ヘッド１０より小型に構成し（ヘッドプレートの幅を転写媒体２０の幅より短く構成し）、転写媒体２０が相対移動（回転）する方向と交差する方向に相対移動可能に設けても良い。具体的には、転写媒体２０が回転移動する方向と交差する方向に吐出ヘッドを移動（走査）可能とし、転写媒体２０が停止している間に転写媒体２０の必要な幅方向に吐出ヘッドを移動（走査）させながら樹脂粒子１を吐出し、次に転写媒体２０を所定量回転させる。吐出ヘッドの移動と転写媒体２０の回転とを交互に繰り返すことにより、粒子パターン２を形成する。
【０１０１】
本変形例によれば、転写媒体２０の同じ範囲の粒子パターン形成に必要な吐出ヘッドの大きさをより小型に構成することができる。
【符号の説明】
【０１０２】
１…樹脂粒子、１Ｌ…帯電樹脂粒子層、２…粒子パターン、３…溶融パターン、４…積層構造体、１０…吐出ヘッド、１１…カートリッジ、１２…樹脂吐出部、２０…転写媒体、３０…溶融部、４０…造形部、４１…ステージ、５０…クリーニング部、７１…第１電極、７２…第２電極、７３…第３電極、１００…積層造形装置、１１１…筐体、１２１…搬送ローラー、１２２…吐出口、１２３…供給ローラー、１２５…規制ブレード、１２６…ヘッド筐体、１２７…ヘッドプレート。
【図１】
2015066713.tif 000003
【図２】
2015066713.tif 000004
【図３】
2015066713.tif 000005
【図４】
2015066713.tif 000006
【図５】
2015066713.tif 000007